(57)【要約】【課題】緩衝材を必要とせず、簡単な構成で異なる大きさの物品を同一の箱内に収納可能とした仕切材を提供する。【解決手段】第１の仕切部材１０と、第２の仕切部材２０とが平面視十字状に組み合わされ、箱２００内に収容して箱２００の内部を複数の区画に仕切る仕切材１００であって、第１の仕切部材１０は、下方から切り込まれ、第２の仕切部材２０と嵌合する第１のスリット１１と、第１の仕切部材１０の表面から突出する突出片１３と、を有し、第２の仕切部材２０は、上方から切り込まれ、第１の仕切部材１０と嵌合する第２のスリット２１と、第２のスリット２１に対して略垂直に形成された第１の折目線２２と、第１の折目線２２に対して連設された天面部２３と、を備え、天面部２３は、第１の折目線２２に沿って第１の仕切部材１０に対して略垂直に折り曲げられ、突出片１３によって係止されてなることを特徴とする。【選択図】図２
2011219127.tif 000002
【特許請求の範囲】
【請求項１】
第１の仕切部材と、第２の仕切部材とが平面視十字状に組み合わされ、箱内に収容して該箱の内部を複数の区画に仕切る仕切材であって、
前記第１の仕切部材は、下方から切り込まれ、前記第２の仕切部材と嵌合する第１のスリットと、前記第１の仕切部材の表面から突出する突出片と、を有し、
前記第２の仕切部材は、上方から切り込まれ、前記第１の仕切部材と嵌合する第２のスリットと、該第２のスリットに対して略垂直に形成された第１の折目線と、該第１の折目線に対して連設された天面部と、を備え、
該天面部は、前記第１の折目線に沿って前記第１の仕切部材に対して略垂直に折り曲げられ、前記突出片によって係止されてなることを特徴とする仕切材。
【請求項２】
前記天面部は、前記区画と平面視略同面積に形成されてなることを特徴とする請求項１に記載の仕切材。
【請求項３】
前記突出片は、前記第１の仕切部材に形成された切断線を切り起こして形成されてなることを特徴とする請求項１又は２に記載の仕切材。
【請求項４】
前記天面部は、側方に開口した切欠部をさらに備えてなることを特徴とする請求項１乃至３のいずれか一項に記載の仕切材。
【請求項５】
前記第２の仕切部材は、前記天面部を介して前記第１の折目線と対向して形成された第２の折目線と、該第２の折目線に対して連設された差込フラップと、をさらに備えてなることを特徴とする請求項１乃至４のいずれか一項に記載の仕切材。
【請求項６】
前記切断線は、前記第１の仕切部材上に複数配設されてなることを特徴とする請求項１乃至５のいずれか一項に記載の仕切材。
【請求項７】
前記箱内に収納される物品は、ラベルを貼付された物品であり、前記第１の仕切部材及び／又は前記第２の仕切部材上であって、前記ラベルの端部に対応する位置に、開口部が配設されてなることを特徴とする請求項１乃至６のいずれか一項に記載の仕切材。
【発明の詳細な説明】
【技術分野】
【０００１】
本発明は、仕切材に係り、特に異なる大きさの物品であっても同一箱内に収納可能とすると共に、廉価に製造可能な仕切材に関する。
【背景技術】
【０００２】
複数の物品を同一箱内に収納する時、各物品同士の接触による破損を防止するため、仕切材によって箱内を複数の領域に区切り、各領域に物品を収納して梱包、運搬することが行われている。そして、このような仕切材として、段ボール等の板紙からなる複数の横仕切部材と、複数の縦仕切部材とを互いに十字に交差させて組み合わせたものが一般に用いられる。
【０００３】
上記形態で梱包される物品の例として、飲料の瓶や、筒状に包装された菓子製品等、さまざまな製品が挙げられる。そして近年では、通信販売の増加に伴い、運搬される物品の形状が多様化し、物品の破損防止の目的から、梱包材もまた、多様な形態がとられるようになってきた。
【０００４】
その中でも特に、異なる形状及び大きさの物品を一つの箱内に収納して運搬されることが多くなってきており、大きさが異なる物品を収納する際、小さい物品を収納する部分に緩衝材を用いることが一般的に行われていた。
【０００５】
しかし、緩衝材を箱内に収納して運搬すると、緩衝材のためのコストがかかるだけでなく、物品の運搬後、緩衝材は処分されてしまうため、資源的な観点から、好ましくないという問題点があった。
【０００６】
このような問題点を解決するため、特許文献１では、異なる形状及び大きさの容器を収納する際、比較的小さな容器を小箱に収納し、小箱に備えられた引掛部を大きな容器に引っ掛けて固定するという技術が提案されている。
【０００７】
また、特許文献２では、高さの異なる瓶を横向きで収納する際、それぞれの瓶の大きさに合わせた台座部を備えた中仕切りを形成し、瓶の高さを調整して同一の箱内に収納する技術が提案されている。
【先行技術文献】
【特許文献】
【０００８】
【特許文献１】特開２００７−３３１８２８号公報
【特許文献２】特許第３２４７７７５号公報
【発明の概要】
【発明が解決しようとする課題】
【０００９】
特許文献１において開示された技術では、大きさ及び形状が異なる容器を同一箱内に収納する際、仕切板と、小さな容器を載置するためのスペーサを用いている。そして、大きな容器を収納する領域を区画する仕切板に対して、スペーサが嵌合されており、小さな容器を収納する小箱をスペーサ上に載置する構成が開示されている。
【００１０】
しかしながら、特許文献１の技術は、スペーサを別途形成すると共に、小さな容器を収納する小箱を形成するため、容器を収納する工程が煩雑であるという問題点があった。また、スペーサ及び小箱を仕切板と別体で形成するため、材料費が嵩むという不都合があった。
【００１１】
一方、特許文献２において開示された技術では、スペーサを別途形成して組み合わせる必要はなく、高さの異なる瓶同士の間に配設される中仕切りを延設してその一部を折り曲げることにより、小さい瓶を支持するための台座部が形成されている。
【００１２】
特許文献２では、複数の瓶を同一箱内に一列で横向きに収納する技術が開示されているが、瓶を複数列で立てた状態で収納する場合に本技術を適用すると、台座部を物品形状に対応させて形成する工程が煩雑になるという不都合があった。また、瓶を立てた状態で収納する場合には、瓶の下方に配設された台座部が撓み、結果として中に収納された瓶が固定されにくいという問題点があった。
【００１３】
本発明の目的は、緩衝材を必要とせず、簡単な構成で異なる大きさの物品を同一の箱内に収納可能とした仕切材を提供することにある。また、本発明の他の目的は、材料の節約を図ると共に、廉価な仕切材を提供することにある。
【課題を解決するための手段】
【００１４】
前記課題は、請求項１の仕切材によれば、第１の仕切部材と、第２の仕切部材とが平面視十字状に組み合わされ、箱内に収容して該箱の内部を複数の区画に仕切る仕切材であって、前記第１の仕切部材は、下方から切り込まれ、前記第２の仕切部材と嵌合する第１のスリットと、前記第１の仕切部材の表面から突出する突出片と、を有し、前記第２の仕切部材は、上方から切り込まれ、前記第１の仕切部材と嵌合する第２のスリットと、該第２のスリットに対して略垂直に形成された第１の折目線と、該第１の折目線に対して連設された天面部と、を備え、該天面部は、前記第１の折目線に沿って前記第１の仕切部材に対して略垂直に折り曲げられ、前記突出片によって係止されてなること、により解決される。
【００１５】
このように本発明の仕切材は、仕切材を構成する第２の仕切材の一部を折曲することにより、天面部が形成される。この天面部は、大きさや形状が異なる物品を一つの箱内に収納する際、比較的小さな物品を収納する区画に架設される。その結果、天面部が蓋のように機能し、この天面部に対して小さな物品が当接し、収納される区画内で物品が大きく遊動して破損するのを防ぐことができる。
また、天面部は第２の仕切部材を折り曲げることによって形成されるため、緩衝材等を別途形成する必要がないと共に、簡単な構成で小さな物品を効果的に保持することができる。
さらに、本発明の仕切部材は、天面部を係止する突出片が、天面部が開く動きを押し止める構成である。この構成により、天面部が開いて中に収納された物品が収納区画内で遊動するのを防ぐことができる。
【００１６】
このとき、請求項２のように、前記天面部は、前記区画と平面視略同面積に形成されてなると好適である。
このように、天面部と、比較的小さな物品が収納される区画とが平面視略同面積に形成されることにより、該区画に対し天面部が嵌合しやすくなる。したがって、仕切材によって分割された区画内において、物品が摺動した場合であっても、天面部が区画内に嵌合して係止されるため、天面部が開いて物品が遊動するのをより効果的に防ぐことができる。
【００１７】
また、請求項３のように、前記突出片は、前記第１の仕切部材に形成された切断線を切り起こして形成されてなると好ましい。
このように、第１の仕切部材において突出片を設ける際、別部材を接合するのではなく、切断線を設け、第１の仕切部材の一部を切り起こす構成とすることにより、簡単に突出片を形成することができる。また、第１の折目線において折り曲げたり開いたりする際、すなわち、天面部を開閉する際、切り起こした突出片を第１の仕切部材と同一平面に収納する（又は反対側に押し込む）ことができるため、天面部の開閉を容易に行うことができる。
【００１８】
また、請求項４のように、前記天面部は、側方に開口した切欠部をさらに備えてなると好適である。
このように、天面部の側方に開口した切欠部を設けることにより、物品の出し入れ時、作業者が切欠部に指を引っかけることができるため、天面部の開閉作業を容易に行うことができる。
【００１９】
さらにまた、請求項５のように、前記第２の仕切部材は、前記天面部を介して前記第１の折目線と対向して形成された第２の折目線と、該第２の折目線に対して連設された差込フラップと、をさらに備えてなると好ましい。
このように、天面部に連接された差込フラップを形成すると、差込フラップが箱又は他の仕切部材と当接する。その結果、箱又は他の仕切部材の摩擦によって、差込フラップが固定されるため、天面部が配設される区画において、さらに天面部が嵌合し易くなる。したがって、天面部がより強固に固定され、物品が遊動するのを防ぐことができる。
また、比較的小さな物品が配設される区画に対し、天面部がほぼ同じ面積となるように形成する際、第２の仕切部材の天面部よりも上方の板材を切除することなく、第２の折目線を折り曲げるだけでよいので、作業を簡素化することができる。
【００２０】
さらに、請求項６のように、前記切断線は、前記第１の仕切部材上に複数配設されてなると好ましい。
このように、突出片を切り起こすための切断線は、様々な位置に複数設けられているとよい。たとえば、第１の仕切部材及び第２の仕切部材を仕切材として組立てた際、様々な高さ位置に切断線が設けられていると、それに対応した高さの突出片を任意で形成することができ、内部に収納される物品の高さを限定することがない。さらに、第１の仕切部材と第２の仕切部材とを組み合わせた際、第２の仕切部材によって分割される区画に対応して、切断線を設けておくことにより、突出片が形成される区画、すなわち、比較的高さの低い物品を収納する区画の位置及び数を限定することがない。
【００２１】
また、請求項７のように、前記箱内に収納される物品は、ラベルを貼付された物品であり、前記第１の仕切部材及び／又は前記第２の仕切部材上であって、前記ラベルの端部に対応する位置に、開口部が配設されてなると好適である。
一般に、仕切材を用いて収納する物品にラベルが貼付されていることがある。このとき、ラベルの端部が仕切部材に当接し、その一部が捲り上がって損傷し、商品価値を損なう場合がある。したがって、本発明の請求項６のように、仕切材において、ラベルの端部が当接する位置に、開口部を設けた構成とすることにより、ラベルの端部が仕切材に当接するのを防ぐことができる。したがって、ラベルの端部が仕切材と擦れ合うことがないため、ラベルの端部が捲れ上がって、損傷することがない。
【発明の効果】
【００２２】
以上のように、本発明の仕切材は、第２の仕切部材によって形成される天面部を、比較的小さな物品が収納される区画に架設し、蓋をする構成であるため、別途緩衝材を必要とせず、簡単な構成で異なる大きさの物品を同一の箱内に収納可能である。
また、第１の仕切部材に設けられる突出片により、天面部が係止されているため、天面部が簡単に開くことがなく、物品が箱内で遊動するのを防ぐことができる。
さらに、天面部を係止するための突出片を形成するためには、切断線を切り起こすだけでよいので、予め複数の位置に切断線を形成しておくことにより、任意の高さで天面部を形成して突出片で係止することが可能である。その結果、様々な高さの物品を収納することが可能な汎用性の高い仕切材を提供することができる。
【図面の簡単な説明】
【００２３】
【図１】本発明の一実施形態に係る仕切材を適用した包装箱を示す説明図である。
【図２】本発明の一実施形態に係る仕切材の分解斜視図である。
【図３】本発明の一実施形態に係る組立状態の仕切材の概略斜視図である。
【図４】（ａ）本発明の一実施形態に係る第１の仕切部材の平面図である。（ｂ）本発明の一実施形態に係る第２の仕切部材の平面図である。（ｃ）本発明の一実施形態に係る第３の仕切部材の平面図である。
【図５】本発明の一実施形態に係る仕切材を適用した包装箱の断面図である。
【図６】本発明の他の実施形態に係る組立状態の仕切材の説明図である。
【発明を実施するための形態】
【００２４】
以下、本発明の実施形態について、図を参照して説明する。なお、以下に説明する部材、配置等は、本発明を限定するものではなく、本発明の趣旨に沿って各種改変することができることは勿論である。
【００２５】
図１乃至図５は本発明の一実施形態に係るものであり、図１は仕切材を適用した包装箱を示す説明図、図２は仕切材の分解斜視図、図３は組立状態の仕切材の概略斜視図、図４（ａ）は第１の仕切部材の平面図、図４（ｂ）は第２の仕切部材の平面図、図４（ｃ）は第３の仕切部材の平面図、図５は仕切材を適用した包装箱の断面図である。
【００２６】
本実施形態に係る仕切材１００は、図１で示すように、瓶４０，５０の間に配設され、箱２００の内部に、瓶４０，５０と共に収納される。本発明の仕切材１００は、本実施形態のように、比較的高さの低い瓶４０と、高さの高い瓶５０とを同時に一つの箱２００内に収納する際に好適に用いられる。
【００２７】
仕切材１００は、少なくとも第１の仕切部材１０と、第２の仕切部材２０とを平面視十字状に組み合わせることにより形成される。なお、本実施形態においては、さらに第３の仕切部材３０を第１の仕切部材１０に対して平面視十字状に組み合わせた例を示す。
【００２８】
本実施形態では第１の仕切部材１０、第２の仕切部材２０、第３の仕切部材３０をそれぞれ一枚ずつ備えた例を示すが、その数はこれに限定されるものではない。例えば、第３の仕切部材３０が配設された位置に第２の仕切部材２０を配設し、１枚の第１の仕切部材１０と、２枚の第２の仕切部材２０とを備えた構成としても良い。また、各仕切部材１０，２０，３０をさらに多数設けても良く、その場合、井桁状に各仕切部材１０，２０，３０を組み合わせても良い。
【００２９】
各仕切部材１０，２０，３０は、箱２００の内部の高さとほぼ同じ、又は若干低く形成されており、各仕切部材１０，２０，３０の幅は、箱２００の内部の幅とほぼ同じ、又は若干短く形成されている。
【００３０】
箱２００は、一般的に物品の梱包に用いられる公知のものを用いることができるが、軽量且つ安価であり、適当な強度を備えることから、段ボール箱が好適に用いられる。また、仕切材１００を構成する各仕切部材１０，２０，３０は適当な強度を有する板材によって形成されている。各仕切部材１０，２０，３０は、一般的な仕切材に用いられる公知の板材を用いることができるが、加工し易く、軽量であることから、プラスチック製や、段ボール製の板材が好適である。ただし、箱２００の内部に収納される物品（本実施形態では瓶４０，５０）の間で緩衝材としての役割も果たすため、適度な強度を備えていることが必要である。
【００３１】
また本実施形態では、各仕切部材１０，２０，３０の高さが各瓶４０，５０の蓋の部分まで延設されているが、瓶５０の肩部まで延設されていればよい。ただし、第２の仕切部材２０は、後述のように折り曲げられた際、瓶５０の肩部まで延設された構成とする。
【００３２】
次に、仕切材１００の組立に関して図２を参照して説明する。第１の仕切部材１０は、第２の仕切部材２０と嵌合されるため、その下方から切り込みが形成されており、第１のスリット１１が備えられている。第１のスリット１１は、第１の仕切部材１０の下方端部から、中程まで延設されている。また、第１のスリット１１の幅は、嵌合される第２の仕切部材２０の板厚よりも若干狭く設計されている。
【００３３】
そして第１の仕切部材１０には、さらに第３の仕切部材３０を嵌合させるため、スリット１２もまた形成されている。スリット１２は第１のスリット１１に対して略平行に形成され、第１のスリット１１と同じく、第１の仕切部材１０の下方端部から、第１の仕切部材１０を構成する板材の中程まで延設されている。また、スリット１２の幅は、嵌合される第３の仕切部材３０の板厚よりも若干狭く設計されている。
【００３４】
また、第２の仕切部材２０は、その上方から切り込みが形成されており、第１の仕切部材１０と嵌合されるため、第２のスリット２１が備えられている。第２のスリット２１は、第２の仕切部材２０の上方端部から、第２の仕切部材２０を構成する板材の中程まで延設されている。また、第２のスリット２１の幅は、嵌合される第１の仕切部材１０の板厚よりも若干狭く設計されている。
【００３５】
第３の仕切部材３０もまた同様に、その上方から切り込みが形成されており、第１の仕切部材１０と勘合されるため、スリット３１が備えられている。スリット３１は、第３の仕切部材３０の上方端部から、第３の仕切部材３０を構成する板材の中程まで延設されている。また、スリット３１の幅は、嵌合される第１の仕切部材１０の板厚よりも若干狭く設計されている。
【００３６】
第１の仕切部材１０に備えられた第１のスリット１１の長さは、少なくとも第２の仕切部材２０に設けられた第２のスリット２１の下方端部から、第２の仕切部材２０の下方端部（第２のスリット２１が設けられていない側の端部）までの長さとほぼ同じ長さ、又は若干長く形成されている。
【００３７】
そして、第１の仕切部材１０に形成された第１のスリット１１に対し、第２の仕切部材２０が、第２のスリット２１が形成された側から差し込まれる。この時、第１のスリット１１と第２のスリット２１とは、かみ合わせるように嵌合され、略同一直線上となるように差し込まれる。
【００３８】
したがって、第１の仕切部材１０と第２の仕切部材２０とを嵌着した際に、第１の仕切部材１０と第２の仕切部材２０の高さを揃えることができる。
なお、第１の仕切部材１０に対する第３の仕切部材３０の関係も同様である。
【００３９】
次に、第１の仕切部材１０、第２の仕切部材２０、第３の仕切部材３０を組み合わせて形成された仕切材１００の構成に関し、図３を参照して説明する。
仕切部材１００は、第１の仕切部材１０に対し、第２の仕切部材２０と、第２の仕切部材３０とが、それぞれ第２のスリット２１及びスリット３１を上方に向けて嵌合された構成である（図２を参照）。
【００４０】
異なる形状や大きさの物品を同一の箱２００内に収納する際、比較的高さの低い物品を収納する区画において、第２の仕切部材２０は、その側方に配設される物品の高さに対応した高さとなるように、天面部２３を備えている。すなわち、第２の仕切部材２０は、第２のスリット２１によって分割された部分において、第１の折目線２２で折り曲げることにより、物品の高さと略同じ高さを備えた天面部２３を形成する。
【００４１】
また、天面部２３は、比較的高さの低い物品を収納する区画と平面視略同面積で形成され、該区画に嵌合される構成である。このような構成により、比較的高さの低い物品が蓋としての役割を果たす天面部２３によって良好に保持され、内部での破損を防止することができる。
【００４２】
天面部２３は、第１の仕切部材１０上に形成された突出片１３によって係止されている。天面部２３は、第２の仕切部材２０を第１の折目線２２を折り曲げて形成されるため、第１の折目線２２によって折り曲げられた部分は平面状に戻りやすいが、突出片１３によって天面部２３が係止されることにより、天面部２３は第１の仕切部材１０に対して略垂直に保持される。
【００４３】
突出片１３は、第１の仕切部材１０の一部に、略コ字状又は略Ｕ字状の切断線１３ａ（図４（ａ）参照）を形成し、その切断線１３ａから切り起こすことにより形成されている。
【００４４】
天面部２３を、突出片１３よりも下方に押し下げた後、突出片１３を裏側から押し込むようにすると、容易に突出片１３によって天面部２３を係止することができる。また、天面部２３を下方に押し下げた後、突出片１３を押し戻すようにすると、天面部２３を持ち上げることができる。
【００４５】
突出片１３は、第１の仕切部材１０の表面に突出するように、別部材を接合するような構成としても良いが、本実施形態のように、切断線１３ａを形成して折目線１３ｂ（図４（ａ）参照）によって切り起こす形状とすると、安価で且つ作業性が高いので好ましい。
【００４６】
また、突出片１３は、第１の仕切部材１０の表面と裏面に別途形成することができる。表面側と裏面側に収納される物品の高さが同程度である場合、図３のように、切断線１３ａを連続して形成することにより、より構造が簡素化され、作業性が向上する。
【００４７】
天面部２３には、その側方、すなわち第２の仕切部材２０の側方（区画がより多く設けられる場合は、天面部２３において第２のスリット２１が設けられた辺）に開口した切欠部２４が形成されている。この切欠部２４は、作業者が指を差し込むことができる程度の大きさに形成されており、図３のように第１の折目線２２が折り曲げられた状態であっても、作業者は容易に天面部２３を上方に持ち上げることができる。
【００４８】
さらに、天面部２３の側方には、第１の折目線２２に対向して、第２の折目線２５が形成されている。第２の折目線２５によって第２の仕切部材２０が折り曲げられることにより、天面部２３の側方に差込フラップ２６が連設される。
【００４９】
天面部２３の面積が、物品を収納する区画と略同面積に形成されるため、それに対応して差込フラップ２６の面積が適宜調整される。すなわち、高さの異なる物品に対して天面部２３を設ける必要がある場合は、差込フラップ２６の面積を大きくして高さの低い物品を収納し、差込フラップ２６の面積を小さくして高さの高い物品を収納すればよい。したがって、第２の仕切部材２０の外形を、収納される物品の高さに応じて調整する必要がないため、汎用性が高い仕切材１００を提供することができる。
【００５０】
また、差込フラップ２６は、隣接する板材、本実施形態においては箱２００に当接するため、差込フラップ２６と箱２００との摩擦力により、運搬中に天面部２３が開きにくくなる効果も得られ、好適である。
【００５１】
さらに、本発明の仕切材１００において、第１の仕切部材１０、第２の仕切部材２０、第３の仕切部材３０には、それぞれ開口部１７，２７，３７が形成されている。これらの詳細な構成は後述する。
【００５２】
次に、各仕切部材１０，２０，３０の構成について図４を参照して説明する。
図４（ａ）は、第１の仕切部材１０の平面図である。第１の仕切部材１０は、その下方が、第１のスリット１１、スリット１２によって略等間隔で３つの区画に分割されている。なお、本実施形態では略等間隔に分割されているが、内部に収納される物品の大きさ（太さ）に応じて、適宜設計される。また、本実施形態では、第１の仕切部材１０は、３つの区画に分割された例を示しているが、複数の第２の仕切部材２０又は複数の第３の仕切部材３０と嵌合させるため、より多くの区画に分割されていても良い。
【００５３】
本実施形態の第１の仕切部材１０においては、左端の区画に比較的小さな物品を収納する構成を例示しているため、左端の区画において突出片１３を形成するための切断線１３ａ及び折目線１３ｂが設けられている。
【００５４】
一方、その他の区画（本実施形態では中央及び右端の区画）には、各区画の幅に対して略中央付近に開口部１７が設けられている。また、第１のスリット１１及びスリット１２の端部には傾斜して開口した導入部１８が形成されており、第２の仕切部材２０及び第３の仕切部材３０を嵌入する際、その位置決めを容易にすることができる。
【００５５】
図４（ｂ）は、第２の仕切部材２０の平面図である。第２の仕切部材２０は、その上方が、第２のスリット２１によって略等間隔で２つの区画に分割されている。なお、本実施形態では略等間隔に分割されているが、内部に収納される物品の大きさ（太さ）に応じて、適宜設計される。また、本実施形態では、第２の仕切部材２０は、２つの区画に分割された例を示しているが、複数の第１の仕切部材１０と嵌合させるため、より多くの区画に分割されていても良い。
【００５６】
本実施形態の第２の仕切部材２０においては、右側の区画に比較的小さな物品を収納する構成を例示しているため、右側の区画において天面部２３を形成するための第１の折目線２２が設けられている。また、第１の折目線２２に対向し、天面部２３を介して第２の折目線２５が設けられることにより、差込フラップ２６が形成されている。
【００５７】
天面部２３は、折目線２２によって第２の仕切部材２０の本体に対して略垂直となるように折曲され、また、差込フラップ２６は、天面部２３に対して略垂直となるように折曲される。
【００５８】
天面部２３には、その側方に開口した切欠部２４が設けられており、切欠部２４とその側方に配設される板材（本実施形態では箱２００の側板）との間に作業者が指を差し込むことが可能に配設されている。なお、作業者の指を差し込む部分の構成に関し、切欠部２４を設けるのではなく、天面部２３に穴を設ける構成としても良いが、その場合、天面部２３の下方に収納される物品に対する保持力が若干小さくなり、且つ、板材から穴の部分を切除する作業は作業性に劣りコストが嵩むので、切欠部２４を形成するのが好ましい。
【００５９】
また、第２の仕切部材２０においても、各区画の幅に対して略中央付近に開口部２７が設けられた構成としてもよい。また、第２のスリット２１の端部には傾斜して開口した導入部２８が形成されており、第１の仕切部材１０を嵌入する際、その位置決めを容易にすることができる。
【００６０】
図４（ｃ）は、第３の仕切部材３０の平面図である。第３の仕切部材３０は、その上方が、スリット３１によって略等間隔で２つの区画に分割されている。なお、本実施形態では略等間隔に分割されているが、内部に収納される物品の大きさ（太さ）に応じて、適宜設計される。また、本実施形態では、第３の仕切部材３０は、２つの区画に分割された例を示しているが、複数の第１の仕切部材１０と嵌合させるため、より多くの区画に分割されていても良い。
【００６１】
本実施形態のように、比較的小さな物品を収納する区画以外の部分は、第３の仕切部材３０が設けられていても良い。このとき、第３の仕切部材３０においても、各区画の幅に対して略中央付近に開口部３７が設けられた構成としてもよい。また、スリット３１の端部には傾斜して開口した導入部３８が形成されており、第１の仕切部材１０を嵌入する際、その位置決めを容易にすることができる。
【００６２】
次に、第２の仕切部材２０及び各開口部１７，２７，３７の構成に関し、図５を参照して詳細に説明する。
本実施形態のように、高さの異なる瓶４０，５０を箱２００内に収納する際、高さが低い瓶４０が収納される区画には、天面部２３が蓋のようにその区画を覆うように設計されている。そして、その内部に収納される瓶４０の蓋と、突出片１３との間に天面部２３が挟まれるようにして配設される。この構成により、箱２００の運搬時、その内部で瓶４０が大きく遊動し、破損することを防止することができる。
【００６３】
また、本発明の仕切材１００は、箱２００に収納される物品が瓶４０，５０等の円筒型の物品である場合、特に好適に用いられる。本実施形態では、内部に収納される物品の例として酒類の瓶を例示して説明する。このような瓶４０，５０には、その肩部よりも低い位置の表面にラベル４１，５１が貼付されているものが一般的である。
【００６４】
そして、開口部１７，２７，３７は、比較的大きな物品である瓶５０に貼付されるラベル５１の端部に対応する位置に配設されている。より詳細には、ラベル５１の上端部が当接しやすい箇所に開口部１７，２７，３７が配設されている。なお、本実施形態においては開口部１７，２７，３７が、ラベル５１の上端部に相当する位置に配設された例を示したが、ラベル５１の下端部に相当する位置に配設されていても良い。
【００６５】
以下、開口部１７，２７，３７が設けられていると好ましい理由を説明する。
一般に、箱２００の内部に仕切材１００を収納し、大きさの異なる瓶４０、５０を収納する際、瓶５０のように、仕切材１００とほぼ当接して収納される比較的大きな物品は、その側面が仕切材１００に対して擦れ合うことがある。その際、特にラベル５１の端部仕切材１００と擦れ合い、ラベル５１の一部が捲れ上がって損傷することがあった。
【００６６】
したがって、ラベル５１の損傷を防止するため、比較的大きな瓶５０を箱２００内に収納する際、瓶５０を別途フィルムや布等で包装してから箱２００に収納することがあり、経費が嵩むという問題点があった。
【００６７】
しかし、本実施形態のように、瓶５０に貼付されたラベル５１の上端（又は下端）部分に仕切材１００が当接しないように、開口部１７，２７，３７を設けることにより、ラベル５１の損傷を防止することができる。
【００６８】
なお、瓶４０のように比較的軽量で小さい物品の場合には、その側面が仕切材１００と当接しにくく、ラベル４１の損傷は比較的問題とならないため、開口部１７，２７，３７は、比較的大きな物品である瓶５０を収納する区画に対応して形成される。
【００６９】
また、本実施形態において、各仕切部材１０，２０，３０にはそれぞれ開口部１７，２７，３７が備えられた構成を示したが、この開口部１７，２７，３７の部分を切除することなく、これらに対応する部分を押圧し、凹部としてもよい。さらに、箱２００の側壁において、ラベル５１の端部に対応する箇所に凹部を設けても良い。なお、箱２００の内部に収納される物品の種類に応じて、開口部１７，２７，３７が備えられていない構成としても良いのは勿論である。
【００７０】
さらに、本発明の他の実施形態に関し、図６を参照して説明する。図６は、本発明の他の実施形態に係る組立状態の仕切材の説明図である。
【００７１】
本発明の仕切材１００において、第１の仕切部材１０は、図６のように、複数の突出片１３，１１３を備えた構成であってもよい。たとえば図６のように、第２の突出片１１３を、突出片１３の上方に設けた場合、第２の仕切部材２０を第１の折目線２２で折り曲げた時とは異なる大きさの物品を収納可能となる。
【００７２】
第２の仕切部材２０において、折り曲げる位置を変化させ、第３の折目線１２２で折り曲げ、第２の突出片１１３に係止することにより、天面部１２３が形成される。このように、複数の突出片１３，１１３を形成するため、第１の仕切部材１０において、高さの異なる位置に切断線を複数形成しておくと、内部に収納される物品の大きさに応じて突出片１３，１１３を切り起こし、天面部２３，１２３が形成される高さを適宜調整することができる。なお、本実施形態は、上述した実施形態とは異なり、天面部２３に連設された差込フラップ２６を備えていない構成となっている。このように、天面部１２３には差込フラップが連設されない構成としても良い。
【００７３】
一方、突出片１３の下方にさらに突出片を設けて天面部を形成する場合は、差込フラップ２６の長さがより長く形成され適当な高さに天面部が形成されるようにする。また、開口部２７の位置に天面部を設けたい場合は、開口部２７を必ずしも設ける必要はなく、第２の仕切部材２０の構成は適宜設計される。
【００７４】
このように、本発明の仕切材１００は、複数の突出片１３，１１３を形成し、第２の仕切部材２０の折り曲げる位置を変更するだけで様々な大きさ（高さ）の物品を収納することができる。したがって、収納する物品の大きさが多様であっても、汎用性の高い仕切材１００を提供することができる。
【００７５】
なお、本実施形態では二つの高さの異なる突出片１３，１１３を備えた仕切材１００を示したが、突出片の数や設けられる位置はこれに限定されるものではない。また、突出片１３，１１３が形成される高さは、それぞれ想定される物品の大きさに応じ、適宜調整して設計される。
【００７６】
本実施形態では、小さな物品が収納される区画を一カ所のみ備える構成を示したが、第２の仕切部材２０に隣接する区画であれば、第２のスリット２１によって分割された数と同数の区画において、同様の構成を適用できる。したがって、突出片を切り起こすための切断線が、第１の仕切部材１０上であって、第２の仕切部材２０によって分割される全ての区画に対応する位置に、複数設けられていてもよい。
【００７７】
なお、上記実施形態では、具体例として、箱２００内に収納される物品が瓶である場合について説明したが、これに限らず、菓子等の他の物品についても、同様の構成を適用可能であることは勿論である。
【符号の説明】
【００７８】
１００  仕切材
２００  箱
１０  第１の仕切部材
１１  第１のスリット
１２  スリット
１３  突出片
１３ａ  切断線
１３ｂ  折目線
１７  開口部
１８  導入部
２０  第２の仕切部材
２１  第２のスリット
２２  第１の折目線
２３  天面部
２４  切欠部
２５  第２の折目線
２６  差込フラップ
２７  開口部
２８  導入部
３０  第３の仕切部材
３１  スリット
３７  開口部
３８  導入部
４０，５０  瓶
４１，５１  ラベル
１１３  第２の突出片
１２２  第３の折目線
１２３  第２の天面部
【図１】
2011219127.tif 000003
【図２】
2011219127.tif 000004
【図３】
2011219127.tif 000005
【図４】
2011219127.tif 000006
【図５】
2011219127.tif 000007
【図６】
2011219127.tif 000008